(57)【要約】【課題】相互間を簡易に接続することができるマルチチャンネル再生装置あるいはマルチチャンネル再生用スピーカ装置を提供する。【解決手段】オーディオデータを入力し、入力した音声データを信号処理回路６により処理すると共に処理した信号を分散配置した複数のスピーカ装置２０，２１，２２，・・・２ｎに供給して音声出力するマルチチャンネル再生装置であって、前記信号処理回路６は、入力したオーディオデータを複数のチャンネルデータに変換する変換手段と、該変換手段により変換した前記複数のチャンネルデータを各チャンネルデータ毎に圧縮し、圧縮したチャンネルデータにそれぞれチャンネル識別子を付与してマルチチャンネル出力信号を生成する信号処理手段を備えた。【選択図】　　　　図１
2004023549.tif 000002
【特許請求の範囲】
【請求項１】
オーディオデータを入力し、入力したオーディオデータを信号処理回路により処理すると共に処理した信号を分散配置した複数のスピーカ装置に供給して出力するマルチチャンネル再生装置であって、
前記信号処理回路は、入力したオーディオデータを複数のチャンネルデータに変換する変換手段と、該変換手段により変換した前記複数のチャンネルデータを各チャンネルデータ毎に圧縮し、圧縮したチャンネルデータにそれぞれチャンネル識別子を付与してマルチチャンネル出力信号を生成する信号処理手段を備えたことを特徴とするマルチチャンネル再生装置。
【請求項２】
オーディオデータを入力し、入力したオーディオデータを信号処理回路により処理すると共に処理した信号を分散配置した複数のスピーカ装置に供給して出力するマルチチャンネル再生装置であって、
前記信号処理回路は、外部または内蔵する再生手段から入力したオーディオデータを複数のチャンネルデータに変換する変換手段と、該変換手段により変換した前記複数のチャンネルデータを各チャンネルデータ毎に圧縮し、圧縮したチャンネルデータにそれぞれチャンネル識別子を付与してマルチチャンネル出力信号を生成する信号処理手段を備えたことを特徴とするマルチチャンネル再生装置。
【請求項３】
請求項１ないし請求項２の何れか１の記載において、
前記信号処理手段は、前記圧縮したチャンネルデータ及び該データに付与するチャンネル識別子に更に同期信号を付与すると共に、これらチャンネルデータ、チャンネル識別子及び同期信号をシリアル変換してマルチチャンネル出力信号を生成することを特徴とするマルチチャンネル再生装置。
【請求項４】
複数のチャンネルデータ及び該チャンネルデータそれぞれに付したチャンネル識別子を備えるマルチチャンネル出力信号を入力してオーディオ出力するマルチチャンネル再生用スピーカ装置であって、
該スピーカ装置は、前記再生するチャンネルに対応するチャンネル識別子を設定する識別子設定手段と、前記マルチチャンネル出力信号から前記識別子設定手段により設定されたチャンネル識別子に対応するチャンネルデータを抽出して再生するスピーカ駆動手段を備えたことを特徴とするマルチチャンネル再生用スピーカ装置。
【請求項５】
請求項４の記載において、
前記スピーカ装置は、前記マルチチャンネル出力信号を入力する入力端子及び入力した前記マルチチャンネル出力信号を出力する出力端子を備えたことを特徴とするマルチチャンネル再生用スピーカ装置。
【請求項６】
請求項５の記載において、
前記マルチチャンネル再生用スピーカ装置は前記入力端子及び出力端子を介して鎖状に接続することを特徴とするマルチチャンネル再生用スピーカ装置。
【請求項７】
請求項４ないし請求項６の何れか１の記載において、
前記スピーカ装置は、前記識別子設定手段により設定されたチャンネル識別子に対応するチャンネルデータを蓄積するメモリを備え、メモリに蓄積したデータを前記マルチチャンネル出力信号に同期して出力することを特徴とするマルチチャンネル再生用スピーカ装置。
【発明の詳細な説明】
【０００１】
【発明の属する技術分野】
本発明はマルチチャンネル再生装置及びマルチチャンネル再生用スピーカ装置にかかり、特に相互間を配線接続するマルチチャンネル再生装置及びマルチチャンネル再生用スピーカ装置に関する。
【０００２】
【従来の技術】
図６は、従来のマルチチャンネル再生装置を説明する図である。マルチチャンネル再生装置は、ＬＤ（Ｌａｓｅｒ　Ｖｉｓｉｏｎ　Ｄｉｓｃ）プレーヤ、ＤＶＤ（Ｄｉｇｉｔａｌ　Ｖｅｒｓａｔｉｌｅ　Ｄｉｓｃ）プレーヤ等の再生装置１０１、及び該再生装置１０１からオーディオ信号を入力し、該入力信号に対しデコード処理、再生セパレーションの調整、残響音の付加及び増幅等の各種処理を施す増幅器１０２からなる。また、前記増幅器１０２の出力端子には各チャンネル毎のスピーカを接続する。例えば、５チャンネルのオーディオ信号を出力する場合には５つのスピーカ１０３ないし１０７を接続し、各スピーカはそれぞれリスニングポイントの周囲に配置する。５チャンネルのオーディオ信号を出力するスピーカは、例えば、前方左用（Ｌｃｈ）スピーカ１０３、前方中央用（Ｃｃｈ）スピーカ１０４、前方右用（Ｒｃｈ）スピーカ１０５、後方左用サラウンド（ＳＬｃｈ）スピーカ１０６、後方右用サラウンド（ＳＲｃｈ）スピーカ１０７である。また、５．１チャンネルのオーディオ信号を再生する場合は、前記５つのスピーカの外に０．１チャンネル分のオーディオ信号に相当する低音専用（ＳＷｃｈ）スピーカ１０８が追加される。
【０００３】
【発明が解決しようとする課題】
前記従来のマルチチャンネル再生装置を用いて、マルチチャンネルオーディオ信号を再生する場合、前記全てのスピーカ（１０３〜１０８）はそれぞれ接続線を介して前記増幅器１０２に接続しなければならない。前述のようなサラウンドオーディオを再生するシステムでは、各スピーカはそれぞれある程度の間隔を置いてリスニングポイントの周囲に配置することになる。このため、スピーカ（１０３〜１０８）と増幅器１０２を接続する接続線の配線長は長くなり、該接続線の取扱は煩雑なものとなる。
【０００４】
本発明は、これらの問題点に鑑みてなされたもので、相互間を簡易に接続することができるマルチチャンネル再生装置あるいはマルチチャンネル再生用スピーカ装置を提供する。
【０００５】
【課題を解決するための手段】
本発明は、上記の課題を解決するために次のような手段を採用した。
【０００６】
オーディオデータを入力し、入力した音声データを信号処理回路により処理すると共に処理した信号を分散配置した複数のスピーカ装置に供給して音声出力するマルチチャンネル再生装置であって、前記信号処理回路は、入力したオーディオデータを複数のチャンネルデータに変換する変換手段と、該変換手段により変換した前記複数のチャンネルデータを各チャンネルデータ毎に圧縮し、圧縮したチャンネルデータにそれぞれチャンネル識別子を付与してマルチチャンネル出力信号を生成する信号処理手段を備えた。
【０００７】
【発明の実施の形態】
以下、本発明の実施形態を添付図面を参照しながら説明する。図１は、本発明の実施形態にかかるマルチチャンネル再生装置及びマルチチャンネル再生用スピーカ装置を説明する図である。図において、１はマルチチャンネル再生装置、２はＬＤプレーヤ、ＤＶＤプレーヤ等の再生装置、３は再生装置２の再生出力、Ａ／Ｄ（Ａｎａｌｏｇ／Ｄｉｇｉｔａｌ）変換装置４の変換出力あるいは外部デジタル入力信号を何れかを選択する入力選択手段、４は外部アナログ入力信号をＡ／Ｄ変換するＡ／Ｄ変換装置、５はマルチチャンネル再生装置１が出力するチャンネル数を設定するチャンネル数設定手段、６はＤＳＰ（Ｄｉｇｉｔａｌ　Ｓｉｇｎａｌ　Ｐｒｏｃｅｓｓｏｒ）であり、入力選択手段３からオーディオ信号を入力し、この入力信号に対してデコード処理、再生セパレーション調整、残響音の付加、チャンネル数の変換、圧縮、増幅、同期信号の付加等の各種処理を施し、マルチチャンネル出力信号として出力する。７は再生装置１の各部あるいはスピーカに電力を供給する電源装置である。また、１ａはデジタル信号入力端子、１ｂはアナログ信号入力端子、１ｃはマルチチャンネル出力信号出力端子である。
【０００８】
２０はマルチチャンネル再生用スピーカ装置、１１は前記マルチチャンネル出力信号から後述するチャンネル識別子設定手段により設定したチャンネル信号を抽出しデコード処理するデコーダ、１２はデコーダ１１の出力を一時記憶するメモリ、１３はスピーカ１１が再生すべきチャンネルを特定するチャンネル番号等のチャンネル識別子を設定するチャンネル識別子設定手段、１４はＤ／Ａ（Ｄｉｇｉｔａｌ／Ａｎａｌｏｇ）変換器、１５はアンプ、１６はスピーカである。また、２０ａはマルチチャンネル出力信号の入力端子、２０ｂは出力端子である。
【０００９】
２１、２２・・２ｎはそれぞれスピーカ装置２０と略同様の構成のスピーカ装置であり、それぞれが、例えば、前方左用（Ｌｃｈ）スピーカ装置、前方中央用（Ｃｃｈ）スピーカ装置、前方右用（Ｒｃｈ）スピーカ装置、後方左用サラウンド（ＳＬｃｈ）スピーカ装置、後方右用サラウンド（ＳＲｃｈ）スピーカ装置、低音専用（ＳＷｃｈ）スピーカ装置として機能する。
【００１０】
マルチチャンネル再生装置１は、マルチチャンネル再生装置１内に内蔵した再生装置２からの再生オーディオ信号を入力し、あるいは外部から供給されるオーディオ信号を入力し、入力したオーディオ信号を入力選択手段３を介してＤＳＰ６に供給する。ＤＳＰ６は入力オーディオ信号をチャンネル数設定手段５により設定したチャンネル数に変換し、変換した各チャンネル毎にチャンネル識別番号を付して、マルチチャンネル出力信号として出力する。
【００１１】
前述のように、マルチチャンネル再生装置１が５チャンネルのオーディオ信号を再生する場合、マルチチャンネル再生装置１は、５チャンネルの各信号を１／５以上の圧縮率で圧縮し、圧縮した各信号を多重化して出力する。このとき、マルチチャンネル再生装置１と各スピーカ装置２０，２１，２２・・・２ｎを接続する信号線を介して、前記圧縮したオーディオ信号と共に電源装置７からスピーカ駆動用電力を供給することができる。
【００１２】
スピーカ装置２０は、マルチチャンネル識別子を含むマルチチャンネル出力信号を入力し、デコーダ１１を介して前記入力した信号の中からチャンネル識別子設定手段１３により設定されたチャンネルのオーディオ信号を抽出してメモリ１２に格納する。更にデコーダ１１は、前記同期信号を入力し、前記メモリ１２に格納したオーディオ信号を前記同期信号に同期して伸張されたオーディオ信号としてスピーカ１６から出力する。
【００１３】
また、スピーカ装置２０，２１，２２・・・２ｎは、それぞれチャンネル識別子設定手段１３を備え、それぞれのチャンネル識別子設定手段１３が設定したチャンネルのオーディオ信号を抽出してメモリ１２に格納する。更にメモリ１２に格納したオーディオ信号はデコーダ１１を介して前記同期信号に同期して伸張されたオーディオ信号として出力する。これにより、各スピーカ装置はマルチチャンネル再生装置１から入力した各チャンネル毎のオーディオ信号をそれぞれ他のスピーカ装置と同期して出力することができる。
【００１４】
図２は、マルチチャンネル出力信号の構成を説明する図である。図において、ｃｈ１、ｃｈ２・・・ｃｈｎはチャンネル識別子、ｃｈ１ＤＡＴＡ、ｃｈ２ＤＡＴＡ、・・・ｃｈｎＤＡＴＡは各チャンネル識別子ｃｈ１、ｃｈ２・・・ｃｈｎが付された各チャンネル毎のオーディオ信号を示す。Ｔｉｍｅ　ＤＡＴＡはｃｈ１ＤＡＴＡ〜ｃｈｎＤＡＴＡのオーディオ信号を同期させて出力するための同期信号を示す。また、Ｔはデータの転送周期を示す。
【００１５】
図３は、スピーカ装置の接続配置を説明する図である。図に示すように、前方中央用（Ｃｃｈ）スピーカ装置１０４、前方左用（Ｌｃｈ）スピーカ装置１０３、低音専用（ＳＷｃｈ）スピーカ装置１０８、後方左用サラウンド（ＳＬｃｈ）スピーカ装置１０６、後方右用サラウンド（ＳＲｃｈ）スピーカ装置１０７及び前方右用（Ｒｃｈ）スピーカ装置１０５をマルチチャンネル再生装置１に対してチェーン（鎖）状に接続する。
【００１６】
図４は、スピーカ装置の接続配置の他の例を説明する図である。図に示すように、前方中央用（Ｃｃｈ）スピーカ装置１０４及び低音専用（ＳＷｃｈ）スピーカ装置１０８をマルチチャンネル再生装置１に対して放射状に接続し、前方中央用（Ｃｃｈ）スピーカ装置１０４及び低音専用（ＳＷｃｈ）スピーカ装置１０８に対してそれぞれ前方左用（Ｌｃｈ）スピーカ装置１０３及び前方右用（Ｒｃｈ）スピーカ装置１０５、並びに後方左用サラウンド（ＳＬｃｈ）スピーカ装置１０６及び後方右用サラウンド（ＳＲｃｈ）スピーカ装置１０７を放射状に接続する。
【００１７】
このように、マルチチャンネル識別子及び同期信号を含むマルチチャンネル出力信号を複数のスピーカ装置に出力し、一方、スピーカ装置は前記出力信号のうちの所定チャンネルのオーディオ信号のみを前記チャンネル識別子設定手段により設定した情報に基づき抽出し前記同期信号に同期して再生することにより、各スピーカ装置の接続順序にとらわれない自由な接続配置が可能となる。
【００１８】
図５は、スピーカ装置に駆動用電源及びマルチチャンネル出力信号を供給する接続ケーブルを説明する図である。図に示すように接続ケーブルは２本の同軸ケーブルを例えば束ねた構成であり、一方の同軸ケーブルの芯線及び外導体で駆動用電源を供給し、他方の同軸ケーブルの芯線及び外導体でマルチチャンネル出力信号を伝送する。この電源供給方式では、接続線を従来のスピーカケーブルに近似した形状に構成できる。また、電源及び信号を一組のケーブルで伝送することができる。
【００１９】
なお、各スピーカ装置が個別に電源を得ることができる場合には、光ケーブルあるいはピンケーブルを用いて前記マルチチャンネル出力信号を供給することができる。
【００２０】
また、以上の説明では、本実施形態のマルチチャンネル再生装置は、スピーカ装置に同期信号を伝送することを前提に説明したが、図２に示す転送周期Ｔを例えば０．１秒以下に設定することにより、前記同期信号の伝送を省略することができる。すなわち、この場合は、１番目のチャンネルが割り当てられたスピーカ装置の出力タイミングと第ｎ番目（最後）のチャンネルが割り当てられたスピーカ装置の出力タイミングには略０．１秒のずれが生じるが、この程度のずれではマルチチャンネルのオーディオ信号を聴取する者に違和感を与えることはない。
【００２１】
なお、前記各スピーカ装置は、他のスピーカ装置と同期してオーディオ信号を出力するサラウンドオーディオ信号とする必要のない場合、すなわち複数のスピーカ装置にそれぞれに割り当てられたチャンネルのオーディオ信号を同時に出力させる必要がない場合（複数のスピーカがそれぞれ別々の部屋に割り当てられる場合等）は、同期信号によらず予め割り当てられたチャンネルのオーディオ信号を出力する構成とすることができる。この場合はスピーカ装置を簡易化することができ製作コストを低減することができる。
【００２２】
以上説明したように、本実施形態によれば、複数のスピーカ装置を用いてマルチチャンネル再生行う際、各スピーカ装置間をチェーン状、あるいは放射状に順次接続するので、接続線の設定が煩雑化することはない。また、マルチチャンネル識別子を含むマルチチャンネル出力信号を複数のスピーカ装置に出力し、一方、スピーカ装置は前記出力信号のうちの所定チャンネルのオーディオ信号を前記チャンネル識別子設定手段により設定した情報に基づき抽出して再生するので、複数のスピーカ装置からサラウンドオーディオ信号を忠実に再生出力することができる。
【００２３】
【発明の効果】
以上説明したように本発明によれば、相互間を簡易に接続することができるマルチチャンネル再生装置あるいはマルチチャンネル再生用スピーカ装置を提供することができる。
【図面の簡単な説明】
【図１】本発明の実施形態にかかるマルチチャンネル再生装置及びマルチチャンネル再生用スピーカ装置を説明する図である。
【図２】マルチチャンネル出力信号の構成を説明する図である。
【図３】スピーカ装置の接続配置を説明する図である。
【図４】スピーカ装置の接続配置の他の例を説明する図である。
【図５】スピーカ装置に駆動用電源及びマルチチャンネル出力信号を供給する接続ケーブルを説明する図である。
【図６】従来のマルチチャンネル再生装置を説明する図である。
【符号の説明】
１　マルチチャンネル再生装置
１ａ　デジタル信号入力端子
１ｂ　アナログ信号入力端子
１ｃ　マルチチャンネル出力信号出力端子
２　再生装置
３　入力選択手段
４　Ａ／Ｄ変換装置
５　チャンネル数設定手段
６　ＤＳＰ
７　電源装置
１１　デコーダ
１２　メモリ
１３　チャンネル識別子設定手段
１４　Ｄ／Ａ変換器
１５　アンプ
１６　スピーカ
２０　２１，２２，２ｎ　マルチチャンネル再生用スピーカ装置
２０ａ　マルチチャンネル出力信号の入力端子
２０ｂ　マルチチャンネル出力信号の出力端子
１０３　前方左用（Ｌｃｈ）スピーカ装置
１０４　前方中央用（Ｃｃｈ）スピーカ装置
１０５　前方右用（Ｒｃｈ）スピーカ装置
１０６　後方左用サラウンド（ＳＬｃｈ）スピーカ装置
１０７　後方右用サラウンド（ＳＲｃｈ）スピーカ装置
【図１】
2004023549.tif 000003
【図２】
2004023549.tif 000004
【図３】
2004023549.tif 000005
【図４】
2004023549.tif 000006
【図５】
2004023549.tif 000007
【図６】
2004023549.tif 000008